(57)【要約】      （修正有）【課題】非常に簡単な構造的構成では小さく、軽いものであって且つアルキメデスの螺旋の形態のロールに存在する接着テープを取出し、接着テープが二面に接着して装備された担体を有し、担体の両面に接着する側面の少なくとも一方が分離材料により覆われて、しかも特に二つの紙ロールを接続する製紙印刷産業に必要な重ね継ぎを可能とする接着テープに適している、手持ち装置を提供すること。【解決手段】担体の両付着側面の少なくとも一方が分離材料４２により覆われていて、保持板２に取付けられている握り部材１と、保持板２上に回転可能に支承された接着テープ４１製のロール４用の保持体２１と、ロールの形態の保持板２と連結された剥がし装置２２と、ロールの形態の保持板２と連結された剥がし装置２３と、保持板２上に回転可能に支承された押圧ロール２４と、保持体２１と力一体的に連結された分離材料収容ロール２５とから成る。【選択図】図１
2009091162.tif 000002
【特許請求の範囲】
【請求項１】
アルキメデスの螺旋の形態のロール４上にあって二面に接着するよう装備された担体を備える接着テープ４１を巻解く手持ち装置１００において、担体の両付着側面の少なくとも一方が分離材料４２により覆われていて、保持板２に取付けられている握り部材１と、保持板２上に回転可能に支承された接着テープ４１製のロール４用の保持体２１と、分離材料４２が剥がし装置２２と直接に接触していて且つ接着テープが取出し過程中にロール４から取り剥がされるように、接着テープ４１が案内される特にロールの形態の保持板２と連結された剥がし装置２２と、分離材料４２が剥がし装置２３と直接に接触していて且つ分離材料４２が取出し過程中に接着テープ４１から取り剥がされるように、接着テープ４１が案内される特にロールの形態の保持板２と連結された剥がし装置２３と、取出し過程中に接着テープ４１が基体と接触している保持板２上に回転可能に支承された押圧ロール２４と、接着テープ４１の剥がした後に分離材料４２を受けて保持体２１と力一体的に連結されるので、保持体２１の運動によって分離材料収容ロール２５が回転されて保持板２上に回転可能に支承された分離材料収容ロール２５とから成ることを特徴とする手持ち装置。
【請求項２】
分離材料収容ロール２５と保持体２１との間の力一体的連結がベルト３０によって行われ、このベルトが分離材料収容ロール２５と保持体２１の軸を介して案内されることを特徴とする請求項１に記載の手持ち装置。
【請求項３】
ベルト３０がゴム製のＯ−リングの形状に形成されていることを特徴とする請求項１に或いは２に記載の手持ち装置。
【請求項４】
接着テープ４１のロール４用の保持体２１には調整可能なブレーキ、特に摩擦ブレーキが存在することを特徴とする請求項１乃至３のいずれか一項に記載の手持ち装置。
【請求項５】
剥がし装置２２が特にフレーム５１を介して旋回可能に保持板２と連結されていることを特徴とする請求項１乃至４のいずれか一項に記載の手持ち装置。
【請求項６】
ロールからの接着テープ４１の剥がしは剥がし角度が少なくとも１８０°の値であるように剥がし装置２２によって行われることを特徴とする請求項１乃至５のいずれか一項に記載の手持ち装置。
【請求項７】
剥がし装置２３と押圧ロール２４の間に分離ユニット５２が存在し、この分離ユニットが接着テープを切断できることを特徴とする請求項１乃至６のいずれか一項に記載の手持ち装置。
【請求項８】
分離ユニット５２が切断作用するように鋏状に引き合わせられる二つのナイフから成ることを特徴とする請求項１乃至７のいずれか一項に記載の手持ち装置。
【請求項９】
握り部材１の分離ユニット５２における切断作用が装置５３を介して作動され得ることを特徴とする請求項１乃至８のいずれか一項に記載の手持ち装置。
【請求項１０】
接着テープ４１からの分離材料４２の剥がしは剥がし角度が少なくとも９０°の値であるように剥がし装置２３によって行われることを特徴とする請求項１乃至９のいずれか一項に記載の手持ち装置。
【請求項１１】
分離材料収容ロール２５の両前側面の少なくとも一方には円板が設けられ、その円板の直径が分離材料収容ロール２５の直径より大きいことを特徴とする請求項１乃至１０のいずれか一項に記載の手持ち装置。
【請求項１２】
握り部材１並びにすべての別の構成部材が鏡像逆に保持板２上に組み立てられ得ることを特徴とする請求項１乃至１１のいずれか一項に記載の手持ち装置。
【請求項１３】
分離材料４２が縦方向に延びているスリットを有することを特徴とする請求項１乃至１２のいずれか一項に記載の手持ち装置。
【請求項１４】
アルキメデスの螺旋の形態でロール４上にあって二面に接着するよう装備された担体を備える接着テープ４１を接続する請求項１乃至１３のいずれか一項に記載の手持ち装置において、担体の両接着側面の少なくとも一方が分離材料４２により覆われていることを特徴とする手持ち装置。
【発明の詳細な説明】
【技術分野】
【０００１】
この発明は、アルキメデスの螺旋の形態にロール上にあって二面に接着するよう装備された担体を備える接着テープにより、担体の両接着側面の少なくとも一方が分離材料により覆われていて、巻解かれ得る手持ち装置に関し、しかも、特に二つの紙ロールを接続するために製紙印刷産業に必要な重ね継ぎを可能とする接着テープに関する。
【背景技術】
【０００２】
ロール上に巻かれた平帯材料を加工する装備において、ロール交換がしばしば接着テープの使用の下で実施される。その際に静圧と動圧ロール交換の間では相違している。静圧ロール交換では、機械が停止され、古いテープの終端が新たなテープの始端を貼り付けられる。動圧ロール交換、浮動ロール交換として知られていて、高速機械がロール交換のために停止される必要がないことを特徴とする。
【０００３】
箔加工産業などでは、浮動ロール交換が二つの根本的に相違する方法で実施される。
【０００４】
一方の方法では、二面に接着する自動接着テープが手作業でＷｓ或いはＶｓ或いはそれぞれの他の好ましい配列の形態で新たなテープのテープ始端に貼り付けられる。接着テープに張り出しているテープ材料がそれに基づいて分離される。新たなテープの始端が引き続いて所謂固着ラベルによりロールのその下に位置する巻物に固定されていて、古いロールの表面速度に新たなロールを加速する際にテープの巻解きを阻止する。この処理は非常に時間がかかり、専門家の使用を必要とし、技術的に好ましくない結果を生じる、なぜならば、テープ材料、固着ラベルと接着テープの順序による貼付けが比較的に厚いからである。さらに、薄く柔軟なテープ材料が重要であるならば、固着ラベル間の新たなテープの始端には回転の際に生じる逆風によってテープ材料を外側へ折返すことを導く危険が生じる。この外側への折返しは一般に乏しい重ね継ぎ効率を生じる。
【０００５】
第二公知の方法では、片側に接着する自動接着テープが重ね合わせて直線に新たなロールの最上テープの下に貼り付けるので、接着側面が外側へ示されて新たなテープの一部のみが覆われている。古いロールの表面速度に新たなロールを加速する際にテープの巻解きを阻止するために、液体が最上巻物とその下に位置する巻物の間に塗布される。この処理は同様に専門家の使用を必要とし、技術的に好ましくない結果を生じる、なぜならば、液体によるテープ材料の固定が非常に多くのパラメータ、例えば箔材料の表面エネルギー、柔軟性、基準重量、使用された液体の極性と粘性、液体量、液体膜の層厚や面積に依存していて、僅かしか挙げられていないからである。  
【０００６】
重ね継ぎを準備する貼付けが今日は手動で行われる。貼付けが実施される。紙梁（これらが１０メータ幅である）の大きさのために、前もって引き剥がす分離紙による貼付けの際の取り扱いが非常に困難になる。
【０００７】
これは、簡単だが、効率的塗布装置に関する要望が実現される理由である。
【０００８】
市場に存在する巻解き器は、種々の理由から適していない。片面に接着する製品用の簡単な手持ち装置は適していない、というのは、分離紙がこの装置によって引き剥がされないからである。
【０００９】
二面に接着する製品用の公知の手持ち装置は適していない、というのは、接着する側面の塗布後に初めて分離紙の引き剥がしが行われるか、或いはナイフをもつ手持ち塗布器の際に印刷産業用の重ね継ぎ接着テープの敏感な担体材料が切断処理によって損傷されて、しかし、各場合には、接着テープの巻解きが剥がし装置によって１８０°の角度で行われない、その剥がし装置が印刷産業用の重ね継ぎ接着テープを同様に損傷し得る。さらに、すべてのデイスペンサーでは、押圧ロールの回転運動が装置内部の分離紙の巻解き用の駆動手段として使用される。
【００１０】
その外に、大抵の手持ち装置は使用にとって非常に大過ぎや重過ぎ、つまり取扱い難いものとして見做される。これは非常に長い貼付け区間に位置し、この区間にはテープが貼り付けられなければならなく、無条件に真直ぐに且つ折畳みなしに行われなければならない。加工器は、いつも短い区間で部材と部材を貼付けて方向をいつも再び訂正できることを得ている。これは手持ちデイスペンサーによって難しくはない。
【００１１】
特に重ね継ぎ接着テープの取出しの際の更なる大きな問題は、接着テープの僅かな分裂力を意味する。この分解可能なシステムは巻解き分解するよう適用する際に既にしばしば傾斜し、分裂可能な担体が分裂し始め、それは後で接着テープにより形成された重ね継ぎをマイナスに影響されて、例えば極端な場合に、即ち担体の完全な分裂の際に接着テープの新たな適用による超過経費を意味する。
【００１２】
ドイツ特許出願公開第１０２００５０３４００７号明細書（特許文献１）から、特に片側に接着して装備された担体から成る接着テープを巻解く手持ち装置が知られていて、その接着物質が分離材料により貼付けられ、接着テープが少なくとも一つのボールケースに周りにアルキメデスの螺旋の形態のロールに巻かれている。この手持ち装置はフレームから成り、その一端には接着テープロール用の保持体が存在するので、接着テープロールが回転可能に支承されていて、その他端には少なくとも三つのロールが存在し、それらロールを介して巻解くべき接着テープが案内され、ロールの中心軸線が互いに平行に且つロール受容部の中心軸線と実質的に平行に整列されている。
【００１３】
保持体は少なくとも一つ或いは二つの円筒状或いは円錐形に拡大部から成り、その拡大部の外径が受容すべき接着テープロールの心の内径におよそ一致する。接着テープロールが拡大部上を移動される。この際に接着テープロールがしっかりと着座せずに、それは回転を困難にするが、しかし、接着テープロールがゆる過ぎなく着座せずに、それは巻解くべき接着テープの正確な案内を困難になった。
【００１４】
接着テープは放出するためにロールから巻解かれて、第一と第二ロールの間の第一ロール隙間によって案内される。接着テープが第一ロール隙間の後に特に片側に接着して装備された担体並びに分離材料に分離される。
【００１５】
担体が第一ロールの周りに少なくとも部分的に巻かれて担体が放出されるべき基体に供給される。
【００１６】
同時に分離材料が第二ロールを巻き付けて、第二と第三ロールの間の第二ロール隙間に案内される。
【００１７】
分離材料がさらに第三ロールを少なくとも部分的に巻き付けて放出される。                
【００１８】
第二或いは第三ロール又は両方が担体及び分離材料又はそのいずれか一方を案内するように回転できる。
【００１９】
さらに、例としてのみ、巻解き器が、ドイツ特許出願公開第１０２５４２８８号明細書（特許文献２）において公開されているように、述べられている。特に両面に接着して装備された接着テープ部分を備えるロール上にある担体材料テープを巻解く他の装置は、
・保持板に取付けられている握り部材と、
・保持板上で回転可能に支承されたロール状担体材料テープ用の受容部と、
・押圧ロールが取出し過程中に接着テープ部分を備える担体材料テープを背景と接触させ、接着テープ部分が取出し過程中に担体材料テープから背景へ取り出されるように、押圧ロールを介して担体材料テープを接着テープ部分とロール用の保持体から案内される、保持板上で回転可能に支承された押圧ロールと、
・駆動ロールが担体材料テープの速度に同期して回転するように、駆動ロールを介して担体材料テープが接着テープ部分と共に案内される、保持板上で回転可能に支承された駆動ロールと、
・接着テープ部分の取出し後に担体材料テープを受けて、特にベルトを介して駆動ロールの運動によって回転される、保持板上で回転可能に支承された分離材料収容ロールとから成る。
【特許文献１】ドイツ特許出願公開第１０２００５０３４００７号明細書
【特許文献２】ドイツ特許出願公開第１０２５４２８８号明細書
【特許文献３】欧州特許出願公開第７５７６５７号明細書
【特許文献４】ドイツ特許出願公開第１９８４１６０９号明細書
【特許文献５】欧州特許４１８５２７号明細書
【特許文献６】ドイツ特許出願公開第４０３３９００号明細書
【特許文献７】ドイツ特許出願公開第１９６２８３１７号明細書
【特許文献８】ドイツ特許出願公開第１９８３０６７３号明細書
【特許文献９】ドイツ特許出願公開第１９６３２６８９号明細書
【特許文献１０】ドイツ特許出願公開第１９９０２１７９号明細書
【特許文献１１】ドイツ特許出願公開第１９８３０６７４号明細書
【特許文献１２】ドイツ特許出願公開第１０２００５０５１１８１号明細書
【発明の開示】
【発明が解決しようとする課題】
【００２０】
この発明の課題は、非常に簡単な構造的構成では小さく、軽いものであって且つアルキメデスの螺旋の形態のロールに存在する接着テープを取出し、接着テープが二面に接着して装備された担体を有し、担体の両面に接着する側面の少なくとも一方が分離材料により覆われて、しかも特に二つの紙ロールを接続する製紙印刷産業に必要な重ね継ぎを可能とする接着テープに適している、手持ち装置を提供することである。
【課題を解決するための手段】
【００２１】
この課題は、請求項１に説明されているような手持ち装置によって解決される。この発明の手持ち装置の再現は従属請求項の対象物である。
【００２２】
それ故に、この発明は、アルキメデスの螺旋の形態のロール上にあって二面に接着するよう装備された担体を備える接着テープを巻解く手持ち装置において、担体の両付着側面の少なくとも一方が分離材料により覆われていて、
・保持板に取付けられている握り部材と、
・保持板上で回転可能に支承された接着テープ製のロール用の保持体と、
・分離材料が剥がし装置と直接に接触していて且つ接着テープが取出し過程中にロールから取り剥がされるように、接着テープが案内される特にロールの形態の保持板と連結された剥がし装置と、
・分離材料が剥がし装置と直接に接触していて且つ分離材料が取出し過程中に接着テープから取り剥がされるように、接着テープが案内される特にロールの形態の保持板と連結された剥がし装置と、
・取出し過程中に接着テープが基体と接触している保持板上で回転可能に支承された押圧ロールと、
・接着テープの剥がし後に分離材料を受けて保持体と力一体的に連結されるので、受容部の運動によって分離材料収容ロールが回転されて保持板上で回転可能に支承された分離材料収容ロールとから成る。
【００２３】
この発明の第一好ましい実施態様によると、分離材料受容ロールと受容部の間の力一体的接続は、分離材料受容ロールと保持体の軸線を介して案内されるベルトによって行われる。
【００２４】
更に特に、ベルトがゴム製のＯ−リングの形態に形成されている。この力一体的接続はスリップを可能とするので、分離材料製の生じた巻き心の外状態の周辺速度がいつも巻解かれた接着テープの外状態の周辺速度とほぼ等しく近づける。
【００２５】
これは接着テープの問題のない巻解きと取出しや分離材料の同時的巻付けを保証する。
【００２６】
手持ち装置の更に好ましい実施態様によると、接着テープのロール用の保持体には調整可能なブレーキ、特に摩擦ブレーキが存在する。
【００２７】
特にしかし、この摩擦ブレーキはベルトが設けられる手動装置の実施態様において必要ではない、というのは、ロールのブレーキ作用が取出し過程の中断の際に同様に上記ベルトによって行われる。
【００２８】
この発明の更に好ましい実施態様によると、剥がし装置が特にフレームを介して旋回可能に保持板と連結されている。
【００２９】
この際に、フレームの一端が保持板に支承されていて、他端が剥がし装置の軸線により形成されている。フレームの縦側面が円の半径を模写し、その中心点が保持板上にフレームの固定を意味する。それにより、剥がし装置が固定点を中心に回転旋回可能である。
【００３０】
手持ち装置の更に好ましい実施態様によると、ロールからの接着テープの剥がしは剥がし角度が少なくとも１８０°の値であるように剥がし装置によって行われる。
【００３１】
この剥がし装置はこの形式で接着テープを備えるロール上に押圧されて、特にロールからの接着テープの剥がしが行われると、押圧が一時的により強くなる。
【００３２】
剥がし装置の保管の好ましい構造的変換は、剥がし装置、特にロールがいつも接着テープの外状態の表面に当接し、それにより１８０°の剥がし角度をいつも自動的に確保することを確実にする。好ましい剥がし装置はその直径、その位置や接着テープの最終状態への載置力にて、上記のように好ましくは分解可能な担体を有する接着テープに作用する巻解き力がいつも分解可能なシステムの分解力より小さいように適合される。それにより敏感な製品が障害なしに巻解かれる。  
【００３３】
手持ち装置の更に好ましい実施態様によると、剥がし装置と押圧ロールの間には接着テープを切断できる分離ユニットが存在する。
【００３４】
手持ち装置の更に好ましい実施態様によると、分離ユニットが切断作用するように鋏状に引き合わせられる二つのナイフから成る。
【００３５】
さらに、握り部材の分離ユニットにおける切断作用が一つの装置を介して作動され得る。この装置は、レバーによって制御され得るボーデンワイヤから成り、このレバーが握り部材に存在する。
【００３６】
特にナイフが出入り移行できる。特にナイフが入り移行された状態では完全に適切なカプセルによって包囲されて、取扱いの際に使用者の負傷を排除する。
【００３７】
外出移行された状態ではナイフが開放されて、このナイフがその特別な幾何学によって例えばやじりの形態でまず最初に個々の点の高い切断力を発生させ、それにより僅かな切断圧でも、非常に経済的且つ精密に切断する。これは、分解可能な担体を有する接着テープが少な過ぎる切断力の際に引き裂き、それにより再び分解するように傾斜するから、必要である。
【００３８】
手持ち装置の更に好ましい実施態様によると、接着テープからの分離材料の剥がしは剥がし角度が少なくとも９０°の値であるように剥がし装置によって行われる。
【００３９】
この構造によって分離材料が確実に取り除かれることが確認される。
【００４０】
手持ち装置の更に好ましい実施態様によると、分離材料収容ロールの両前側面の少なくとも一方には円板が設けられ、その円板の直径が分離材料収容ロールの直径より大きい。
【００４１】
この円板、或いは複数の円板が分離材料製の生じた巻心の拡大を阻止する。
【００４２】
手持ち装置の更に好ましい実施態様によると、握り部材並びにすべての別の構成部材が鏡像逆に保持板２上に組み立てられ得る。
【００４３】
特に押圧ロール、しかし、開放する接着物質と接触しているすべての他のロールが特に耐接着的に装備されて、固定或いは貼付けを阻止する。
【００４４】
手持ち装置の更に好ましい実施態様によると、分離紙が縦方向に延びているスリットを有する。
【００４５】
スリットになった分離紙が特に、静圧或いは動圧ロール交換のために紙産業に使用される接着テープに使用される。この好ましい態様では、分離紙の半部のみ或いは分離材料の一般が接着テープから取り出されて、他の半部が接着テープ上に残る間に巻かれる。
【００４６】
最終的に、発明思想は、二面に接着して装備された担体から成るアルキメデスの螺旋の形態でロール上にある接着テープと接続していて、担体の両接着側面の少なくとも一方が分離材料により覆われている手持ち装置を包含する。
【００４７】
手持ち装置の構成部材用の材料として、合成樹脂が適していて、しかし、金属実施例が可能である。前記ロールが特に取り外されたが、しかし少なくとも部分的に取り出された接着テープの輸送が良好な付着摩擦によって容易とされるように、被覆されるか、或いは表面に加工されている。例としての実施態様では、ゴム被覆金属ロールが使用されるが、しかし例えばタイヤになった金属ロールも適している。
【００４８】
この手持ち装置は場合によっては拡大されたロールから二面に分離材料により覆われた接着テープの均一な剥がしを可能とする。手持ち装置が非常に簡単に構成されて、小さく且つ軽い。
【００４９】
手持ち装置が特に紙重ね継ぎを準備するように例えば紙製のロール上に分解性接着テープの取り出しを可能とする。取出し前或いは取出し中の接着テープの分解が観察すべきでない。
【００５０】
接着テープの担体として、特に分解性担体が使用される。この種の接着テープが特に紙ロールの重ね継ぎ準備に使用される。重ね継ぎ、つまり回転する作動において二つの紙ロールの接続の場合には、担体が不可逆に分解する。
【００５１】
更に好ましい実施態様では、分解性担体として、取り出しすべき接着テープには分解性システムが使用され、好ましくは貼り付けた高濃縮された紙に、紙と箔の結合部に、或いは二つの箔から成る結合部に基づいていて、結合部が定義された点状及び線状又はそのいずれか一方に接続された紙及び箔又はそのいずれか一方から成り得る。このために、例えば特に次の紙、紙結合システム或いは箔が問題である：
【００５２】
・複写紙：
複写紙は一緒に積層された紙であり、分解作用が極めて均一に行われ、例えば不均一な濃縮によって応力ピークが生じない。これら紙が商慣習上であり、例えばフイルタ材料と壁紙の製造の際に使用される。
【００５３】
・容易に分解する紙：
これは、一緒に貼り付けた高濃縮紙（高い分解剛性を備える紙）である。膠付けは例えば強度をもって、澱粉を含んだ誘導体、メチルセルローズに基づく或いはポリビニールアルコール誘導体に基づく壁紙糊（テザ糊、テザＡＧ，ハンブルク；メチレン、ヘンケル  ＫｇａＡ，デュセルドルフ）で行われる。そのようなシステムが例えば欧州特許出願公開第７５７６５７号明細書（特許文献３）に記載されている。分解作業の調整は紙繊維構造の濃縮によって行われる。濃縮が僅かであるならば、僅かであるほど、分解性が僅かである。
【００５４】
・追加的に適した紙システムが例えば片側に滑らかな自然紙或いは高く充填されたクラフト紙である。
【００５５】
・膠付けされた紙システム：
分解性が付着膠の化学製品によって調整される。膠が紙に本質的ではなく押し込まれる。
【００５６】
・標準力−応力にて上面と下面の間を解く材料から成る分解性システム（ドイツ特許出願公開第１９８４１６０９号明細書［特許文献４］により）使用され得る。
【００５７】
・共押出箔
この発明による手持ち装置と接続してずば抜けて適している当該接着テープは、仮設ロール交換の際の貼付けのための製紙産業から知られている。ロール交換を準備して実施する方法と適切な接着テープは例えば欧州特許第４１８５２７号明細書（特許文献５）、ドイツ特許出願公開第４０３３９００号明細書（特許文献６）、ドイツ特許出願公開第１９６２８３１７号明細書（特許文献７）とドイツ特許出願公開第１９８３０６７３号明細書（特許文献８）の書類に紹介されている。普段は開放して接着する領域の接着しないカバーがドイツ特許出願公開第１９６３２６８９号明細書（特許文献９）に重ね継ぎ方法の際の動圧負荷用の接着テープを開示し、その紙担体を分解し、その残りにより接着物質を覆っている。この技術からドイツ特許出願公開第１９９０２１７９号明細書（特許文献10）による接着テープも、同様に重ね継ぎ方法ために役立つ。この接着テープは接着しない裏面に二面の接着テープを支持し、この接着テープが分解し易い紙担体を有し、紙担体が重ね継ぎ方法で分解し、それぞれの接着物質を覆う。引き裂きを回避するために、貼り合わせた接着テープが分解性紙から成る紙担体と一緒に押し込み配列されている、即ち接着テープの縦辺からある距離に押し込み配列されている。別の態様は、ドイツ特許出願公開第１９８３０６７４号明細書（特許文献11）に記載された使用二つの分解テープを備える接着テープである。しかし、これら列挙は理解するために終了せずに、むしろ紙重ね継ぎ用の接着テープを記載し、それによりこの発明により適した多数の更なる書類が存在する。
【００５８】
左制限辺（ｌ）と右制限辺（ｒ）を備える他の分解性接着テープがドイツ特許出願公開第１０２００５０５１１８１号明細書（特許文献12）から知られている。これら両辺（ｌ、ｒ）の少なくとも一方が非直線であり、非直線辺（ｌ）が突出部（Ｖ）を有する。特にこの書類に公開した接着テープがこの発明による手持ち装置と一緒にずば抜けて演じる。
【発明を実施するための最良の形態】
【００５９】
次に、図に基づいてこの発明による手持ち装置は好ましい実施態様でこの発明を不必要に制限することなしに詳細に説明されている。
【００６０】
図１には、側面図で図示されるように、手持ち装置１００は二面に接着して装備された担体を備えるアルキメデスの螺旋の形態でロール４上にある接着テープ４１を巻解くのに役立ち、担体の両接着側面の少なくとも一方が分離材料４２により覆われている。
【００６１】
この手持ち装置１００は実質的に次の構成部材を有し：
・保持板２に取付けられている握り部材１と、
・保持板２上で回転可能に支承されて接着テープ４１製のロール４用の保持体であってロール４が力一体的に着座する保持体２１と、
・分離材料４２が剥がし装置２２と直接に接触していて且つ接着テープ４１が取出し過程中にロール４から取り剥がされるように、接着テープ４１が案内される保持板２と連結された剥がし装置２２と、
・分離材料４２が剥がし装置２３と直接に接触していて且つ分離材料４２が取出し過程中に接着テープ４１から取り剥がされるように、接着テープ４１が案内される保持板２と連結された剥がし装置２３と、
・取出し過程中に接着テープ４１が基体と接触している保持板２上で回転可能に支承された押圧ロール２４と、
・接着テープ４１の剥がし後に分離材料４２を受けて保持体２１と力一体的に連結されるので、保持体２１の運動によって分離材料収容ロール２５が回転されて保持板２上で回転可能に支承された分離材料収容ロール２５とから成る。
【００６２】
分離材料収容ロール２５と保持体（受容部）２１の間の力一体的接続は、分離材料収容ロール２５と保持体２１の軸線を介して案内されるゴム製のＯ−リングの形態のベルト３０によって行われる。
【００６３】
さらに、特にベルト３０がゴム製のＯ−リングの形態に形成されている。
【００６４】
剥がしロール２２はフレーム５１を介して旋回可能に保持板２と連結されている。
【００６５】
この場合には、フレーム５１の一端が保持板２に回転可能に支承されていて、他端が剥がしロール２２の軸線により形成されている。このフレーム５１の縦側面が円の半径を模写し、その中心点が保持板２上のフレーム５１の固定点５５を意味する。それにより剥がしロール２２が固定点を中心に回転旋回である。
【００６６】
ロールからの接着テープ４１の剥がしは、剥がし角度が１８５°の値であるように、剥がし装置２２によって行われる。
【００６７】
剥がしロール２３と押圧ロール２４の間には、切断作用するように鋏状に引き合わせられる二つのナイフから成る分離ユニット５２が存在する。ナイフとそれにより切断作用が握り部材１にてボーデンワイヤ５３を作動する握り部材１に取付けられたレバー５４を介して作動される。
【００６８】
接着テープ４１からの分離材料４２の剥がしが剥がしロール２３によって行われ、しかも特に少なくとも９０°の値であるここで４５°の剥がし角度により行われる。
【図面の簡単な説明】
【００６９】
【図１】この発明による手持ち装置を側面図で示す。
【符号の説明】
【００７０】
１．．．．．握り部材                      
２．．．．．保持板
４．．．．．ロール
２１．．．．保持体（受容部）
２２、２３．．．剥がしロール
２４．．．．押圧ロール
３０．．．．ベルト
４１．．．．接着テープ
４２．．．．分離材料
５１．．．．フレーム
５２．．．．分離ユニット
５３．．．．ボーデンワイヤ                                                      ５４．．．．レバー
１００．．．手持ち装置
【図１】
2009091162.tif 000003